(57)【要約】      （修正有）【課題】容易に着脱を行うことができるクリート−ビンディング・セットを提供する。【解決手段】クリート−ビンディング・セット１は、搭乗者が着用するシューズ３０のソール３２に固定するクリート２０と、自転車のペダル１０に取り付けて、クリートを着脱可能なビンディングと、から構成され、シューズの前方の先端と後方の踵部３６間に固定した平面状のクリートは、後方から前方の方向とは直角に、クリートの表面と垂直に突出した断面逆テーパ状スライダ２１を有し、ペダル軸１６によりクランクアームと接続される平面状ペダル取り付けたビンディングは、自転車本体側から外側方向に延伸する断面テーパ状ガイド１１を挟んで前方ビンディング凸部１２ｆと後方ビンディング凸部１２ｒが立設されており、断面逆テーパ状スライダを断面テーパ状ガイドの外側から本体側に、又は本体側から外側にスライドさせて、ビンディングに着脱可能である。【選択図】図１
2019118761.tif 000002
【特許請求の範囲】
【請求項１】
本体の前方Ｆ及び後方Ｒにそれぞれ位置する前輪及び後輪と、
該前輪及び／又は該後輪と連動し、前方Ｆ及び後方Ｒとは直角に該本体から外側Ｏｕｔ方向に延伸するクランクアームと、
該クランクアームの先端に固定するペダルと、を有する自転車において、
この自転車に搭乗する搭乗者が着用するシューズのソールに固定するクリートと、
この自転車の前記ペダルに取り付けて、前記クリートを着脱可能なビンディングと、
から構成されるクリート−ビンディング・セットであって、
前記シューズのソール表面に固定した平板状の前記クリートは、該クリートの表面から該クリートに垂直に突出して前記本体から外側Ｏｕｔ方向に延伸する断面逆テーパ状スライダを有し、
ペダル軸により前記クランクアームと接続されるペダルの上面に取り付けた前記ビンディングは、前記本体側から外側Ｏｕｔ方向に延伸する嵌合溝である断面テーパ状ガイドを挟んで対向する前方ビンディング凸部と後方ビンディング凸部が立設されており、
前記断面逆テーパ状スライダを、前記断面テーパ状ガイドの外側Ｏｕｔから本体側に、又は本体側から外側Ｏｕｔにスライドさせて、前記ビンディングに着脱可能なクリート−ビンディング・セット。
【請求項２】
前記ペダルに取り付けて、前記クリートを着脱可能なビンディングは、該ペダルの上面に前方ビンディング凸部と後方ビンディング凸部とが一体成形されて立設されている、請求項１に記載のクリート−ビンディング・セット。
【請求項３】
前記ペダルに取り付けたビンディングにおいて、前記対向する前方ビンディング凸部と前記後方ビンディング凸部の外側Ｏｕｔ方向の端部に一対の切り欠きを設け、前記断面視テーパ状の嵌合溝を平面視で外側Ｏｕｔから本体側方向にＹ字型に形成した、請求項１又は請求項２に記載のクリート−ビンディング・セット。
【請求項４】
自転車に搭乗者が搭乗して、該搭乗者が着用するシューズのソールに固定したクリートを該自転車のペダルに固定したビンディングに着脱方法する方法であって、
請求項１乃至請求項３のいずれか１項に記載のクリート−ビンディング・セットを準備するステップと、
前記クリートの表面から突出した断面逆テーパ状スライダを、前記ビンディングの本体側から外側Ｏｕｔ方向に延伸する断面視テーパ状の嵌合溝である断面テーパ状ガイドの、外側Ｏｕｔから本体側方向にスライドさせて装着するステップと、
を含むクリート−ビンディング・セットの着脱方法。
【請求項５】
前記装着するステップで装着した断面逆テーパ状スライダを、前記断面テーパ状ガイドの本体側から外側Ｏｕｔ方向にスライドさせて脱着するステップと、
を更に含む、請求項４に記載のクリート−ビンディング・セットの着脱方法。
【発明の詳細な説明】
【技術分野】
【０００１】
本発明は、自転車の搭乗者が着用するシューズに取り付けたクリートを、自転車のペダル側に設置したビンディングに装着するための、クリート−ビンディング・セット及びその着脱方法に関する。
【背景技術】
【０００２】
図５に概略図を示すように、自転車１００は一般に、本体１０１の前方Ｆ及び後方Ｒにそれぞれ位置する前輪１０２及び後輪１０４と、後輪１０４（及び／又は前輪１０２）と連動し、前方Ｆに向かって本体１００から左右に離れる方向（以下、「外側Ｏｕｔ方向」という）に延伸するクランクアーム１０６と、クランクアーム１０６の先端に固定するペダル１０と、を有する。クランクアーム１０６には外側Ｏｕｔ方向に少なくとも上面が平面状のペダル１０が取り付けられ、自転車１００の搭乗者１０００は、着用したシューズ３０のソール３２（シューズ３０の靴底）でペダル１０の上面を踏み込んでクランクアーム１０６を回転させ、自転車１００を前進させる。
【０００３】
搭乗者１０００のペダル１０を踏み込む力を効率的に直接ペダル１０に伝えるために、様々な考案がなされ、シューズ３０のソール３２に固定したクリートと呼ばれる止め具を、ペダル１０の上面に取り付けたビンディング１１２に固定するクリート−ビンディング・セットが開発されている。クリート−ビンディング・セットには、脚力伝達がより効率的で主に自転車競技用に用いられるロードバイク用と、脚力伝達の効率は劣るがクリートをコンパクトにしたマウンテンバイク用とが普及している。
【０００４】
図３（ａ）、（ｂ）に、マウンテンバイク用クリート−ビンディング・セットの一例を示す。図３（ａ）左図のシューズ３０のソール３２表面（靴底表面）に、前方取付部１２０ａと後方取付部１２０ｂとを備えるクリート１２０が２つのナットで固定されている。図３（ａ）右図は、このクリート１２０を固定するためのペダル１１０であり、前方に前方クリート係止部１１２ａを、後方に後方クランプ部材１１２ｂを備えるビンディング１１２が外枠１１４内に設けられ、ペダル軸１１６により自転車１００のクランクアーム１０６に接続される。クリート１２０の前方取付部１２０ａを、ペダル１１０の前方クリート係止部１１２ａに当接させて踏込み動作を行うと、後方取付部１２０ｂが後方クランプ部材１１２ｂに装着（クランプ）される。
【０００５】
また、特許文献１には、図４（ａ）、（ｂ）に示すようなロードバイク用クリート−ビンディング・セットが開示されている。このクリート−ビンディング・セットは、前方取付部１２０ａ及び後方取付部１２０ｂを備えるクリート１２０と、前方の前方クリート係止部１１２ａ及び後方の後方クランプ部材１１２ｂを備えるビンディング１１２とのセットであり、クリート１２０のビンディング１１２への取付けが１回の踏込み動作で行えるステップイン方式のクリートクランプ構造を装備している。シューズ３０に取付けたクリート１２０の前方取付部１２０ａを、ペダル１１０の前方クリート係止部１１２ａに当接させた後に踏込み動作を行うと、トーションスプリング内蔵の後方クランプ部材１１２ｂにより、後方取付部１２０ｂが簡単に装着（クランプ）され得る。走行中の転倒等の危険な状況でビンディング１１２からクリート１２０を解除する場合、 後方クランプ部材１１２ｂに内蔵されたトーションスプリングの反力を超える力を加えることで後方クランプ部材１１２ｂが回転し、クリート１２０を解除することができる。
【０００６】
以上のような従来の係止型クリート−ビンディング・セットにも種々改良が加えられ、多くの考案がクリート−ビンディング・セットに関してなされている。例えば特許文献２は、シューズのソールに取り付けたクリートのクランプ位置を、ペダル軸に対して進行方向である前後方向への移動を可能にするスライダを具備する構成とすることで、ペダル軸に対する足裏面の固定位置を前後方向の任意の位置に移動し、使用される搭乗者の筋肉の位置を変えることで筋肉疲労の軽減を図ることが可能な自転車ペダルを開示している。
【０００７】
あるいは、従来の係止型クリート−ビンディング・セットとは異なる発想の係止型クリート−ビンディング・セットも考案されている。例えば特許文献３、４は、磁性体などの吸着手段及び磁気感応片などの被吸着手段をビンディング・ペダル及びシューズに設けると共に、前後左右にズレないようにビンディング・ペダルとシューズ間に嵌合溝・突起対などの固定手段を設けたシューズ−ビンディング・セットを開示している。
【０００８】
しかし、クリート−ビンディング・セットの主流は相変わらずロードバイク用、マウンテンバイク用の係止型であり、これらの係止型クリート−ビンディング・セットにおいては、ペダルとシューズの着脱にテクニックとコツが必要である。このビンディング脱着に不慣れなために、自転車停車時にビンディングを外すことができず転倒する例が数多く報告されている。
【０００９】
【特許文献１】特開２００３−２５２２７９号公報
【特許文献２】特許５４５０７８９号公報
【特許文献３】特開２０１１−２５５１５４号公報
【特許文献４】実登３１５１０００号公報
【発明の概要】
【発明が解決しようとする課題】
【００１０】
そこで、本発明は、短時間で容易にシューズ側のクリートとペダル側のビンディングとの着脱を行うことができるクリート−ビンディング・セットを提案する。
【課題を解決するための手段】
【００１１】
本発明に係るクリート−ビンディング・セットは、本体の前方Ｆ及び後方Ｒにそれぞれ位置する前輪及び後輪と、該前輪及び／又は該後輪と連動し、前方Ｆ及び後方Ｒとは直角に該本体から外側Ｏｕｔ方向に延伸するクランクアームと、該クランクアームの先端に固定するペダルと、を有する自転車において、
この自転車に搭乗する搭乗者が着用するシューズのソールに固定するクリートと、この自転車の前記ペダルに取り付けて、前記クリートを着脱可能なビンディングと、から構成されるクリート−ビンディング・セットであって、
前記シューズのソール表面に固定した平板状の前記クリートは、該クリートの表面から該クリートに垂直に突出して前記本体から外側Ｏｕｔ方向に延伸する断面逆テーパ状スライダを有し、ペダル軸により前記クランクアームと接続されるペダルの上面に取り付けた前記ビンディングは、前記本体側から外側Ｏｕｔ方向に延伸する嵌合溝である断面テーパ状ガイドを挟んで対向する前方ビンディング凸部と後方ビンディング凸部が立設されており、前記断面逆テーパ状スライダを、前記断面テーパ状ガイドの外側Ｏｕｔから本体側に、又は本体側から外側Ｏｕｔにスライドさせて、前記ビンディングに着脱可能である。
【００１２】
本発明に係るクリート−ビンディング・セットにおいて、前記ペダルに取り付けて、前記クリートを着脱可能なビンディングは、該ペダルの上面に前方ビンディング凸部と後方ビンディング凸部が一体成形されて立設されていてもよい。
【００１３】
本発明に係るクリート−ビンディング・セットは、前記ペダルに取り付けたビンディングにおいて、前記対向する前方ビンディング凸部と前記後方ビンディング凸部の外側Ｏｕｔ方向の端部に一対の切り欠きを設け、前記断面視テーパ状の嵌合溝を平面視で外側Ｏｕｔから本体側方向にＹ字型に形成する荷が好適である。
【００１４】
本発明に係るクリート−ビンディング・セットの着脱方法は、自転車に搭乗者が搭乗して、該搭乗者が着用するシューズのソールに固定したクリートを該自転車のペダルに固定したビンディングに着脱方法する方法であって、
（１）上記クリート−ビンディング・セットを準備するステップと、
（２）前記クリートの表面から突出した断面逆テーパ状スライダを、前記ビンディングの本体側から外側Ｏｕｔ方向に延伸する断面視テーパ状の嵌合溝である断面テーパ状ガイドの、外側Ｏｕｔから本体側方向にスライドさせて装着するステップと、
を含む。
【００１５】
本発明に係るクリート−ビンディング・セットの着脱方法は、
（３）前記装着するステップで装着した断面逆テーパ状スライダを、前記断面テーパ状ガイドの本体側から外側Ｏｕｔ方向にスライドさせて脱着するステップ、
を更に含んでもよい。
【発明の効果】
【００１６】
本発明に係るクリート−ビンディング・セットにおいて、シューズ側のクリートとペダル側のビンディングの装着は、ビンディングの外側ＯＵＴ側から自転車本体側へ、クリート表面に突出した断面逆テーパ状スライダをスライドさせるだけで完了する。そのため、本発明に係るクリート−ビンディング・セットを用いれば、短時間で容易にビンディングを行うことができる。
【００１７】
また、シューズ側のクリートをペダル側のビンディングから解除する際は、ペダル側のビンディングの自転車本体側から外側ＯＵＴへ、断面逆テーパ状スライダをスライドさせるだけでよい。そのため、本発明に係るクリート−ビンディング・セットにおいては、緊急停車時でも平常停車時でも、装着したシューズ側クリートを容易に短時間でペダル側ビンディングから解除することができる。
【図面の簡単な説明】
【００１８】
【図１】本発明に係るシューズ側のクリートとペダル側のビンディング、及びシューズの断面図。
【図２】（ａ）本発明に係るクリートの平面図、（ｂ）本発明のビンディングの平面図。
【図３】従来のマウンテンバイク用クリート−ビンディング・セットの（ａ）平面図、（ｂ）断面図。
【図４】従来のロードバイク用クリート−ビンディング・セットの平面図。
【図５】自転車及びこれに搭乗する搭乗者の平面模式図。
【発明を実施するための最良の形態】
【００１９】
以下、図面を参照しながら、本発明に係るクリートの実施形態について説明する。なお、以下各図面を通して同一の構成要素には同一の符号を使用するものとする。
Ｉ．クリート−ビンディング・セット
【００２０】
本発明に係るクリート−ビンディング・セット１は、図５のように、本体１０１の前方Ｆ及び後方Ｒにそれぞれ位置する前輪１０２及び後輪１０４と、この前輪１０２及び／又は後輪１０４と連動し、本体１００から直角に外側Ｏｕｔ方向に延伸するクランクアーム１０６と、クランクアーム１０６の先端に固定するペダル１０と、を有する自転車１００において用いられる。
【００２１】
図１にその断面を表す本発明のクリート−ビンディング・セット１は、この自転車１００に搭乗する搭乗者１０００（図５参照）が着用するシューズ３０のソール３２表面に固定するクリート２０と、この自転車１００のペダル１０に取り付けて、クリート２０を着脱可能なビンディング１２（１２ｆ、１２ｒ）と、から構成される。ここで、ビンディング１２は、前方ビンディング凸部１２ｆと後方ビンディング凸部１２ｒから構成される。
【００２２】
シューズ３０の前方Ｆの先端３４と後方Ｒの踵部３６間に固定した平板状のクリート２０は、クリート２０の表面と垂直に突出した断面逆テーパ状スライダ２１を有している。この断面逆テーパ状スライダ２１は、後方Ｒから前方Ｆの方向とは直角に、すなわち外側Ｏｕｔ方向（図５参照）に延伸し、地面方向に幅広となる断面逆テーパ状の形状である。
【００２３】
また、ペダル軸１６によりクランクアーム１０６と接続される平面状ペダル１０の平面上に取り付けたビンディング１２は、本体１０１側から外側Ｏｕｔ方向に延伸する嵌合溝である断面テーパ状ガイド１１を挟んで、前方Ｆに前方ビンディング凸部１２ｆが、後方Ｒに後方ビンディング凸部１２ｒが、それぞれ立設されて構成される。
【００２４】
断面テーパ状ガイド１１は、断面がテーパ状で、その断面形状はクリート２０の表面に突出した断面逆テーパ状スライダ２１の断面形状と略同大同形である。また、図２（ａ）、（ｂ）に示すように、断面逆テーパ状スライダ２１は、平面視（あるいは裏面視）において、断面逆テーパ状スライダ２１と対応して本体１０１側から外側Ｏｕｔ方向に延伸する直線状の嵌合溝である。
【００２５】
このような本発明に係るクリート−ビンディング・セット１は、断面逆テーパ状スライダ２１を、断面テーパ状ガイド１１の外側Ｏｕｔから本体側に、又は本体側から外側Ｏｕｔにスライドさせて、ビンディング１２に着脱可能である。
【００２６】
本発明に係るクリート−ビンディング・セット１において、ペダル１０に取り付けて、クリート２０を着脱可能なビンディング１２（図２（ａ）、（ｂ）参照）は、ペダル１０の上面に前方ビンディング凸部１２ｆと後方ビンディング凸部１２ｒとが、共にペダル１０と一体成形されて立設されてもよい。
【００２７】
また、  本発明に係るクリート−ビンディング・セット１は、ペダル１０に取り付けたビンディング１２において、対向する前方ビンディング凸部１２ｆと後方ビンディング凸部１２ｒの外側Ｏｕｔ方向の端部に一対の切り欠き１４ｆ、１４ｒを設け、上記断面視テーパ状の嵌合溝（断面テーパ状ガイド１１）を平面視で外側Ｏｕｔから本体側方向にＹ字型に形成するのが好適である。このように、前方ビンディング凸部１２ｆと後方ビンディング凸部１２ｒの外側Ｏｕｔ方向の端部に一対の切り欠き１４ｆ、１４ｒを設けることにより、断面逆テーパ状スライダ２１を、断面テーパ状ガイド１１の外側Ｏｕｔから本体側に導入し易くなり、クリート２０をビンディング１２に装着容易とすることができる。
ＩＩ．クリート−ビンディング・セットの装着方法
【００２８】
本発明に係るクリート−ビンディング・セット１の着脱方法は、自転車１００に搭乗者１０００が搭乗して、搭乗者１０００が着用するシューズ３０のソール３２に固定したクリート２０を自転車１００のペダル１０に固定したビンディング１２に着脱方法する方法であって、
（１）本発明に係る上記クリート−ビンディング・セット１を準備するステップ
（２）クリート２０の表面から突出した断面逆テーパ状スライダ２１を、ビンディング１２の本体側から外側Ｏｕｔ方向に延伸する断面視テーパ状の嵌合溝である断面テーパ状ガイド１１の、外側Ｏｕｔから本体側方向にスライドさせて装着するステップ
を含む。
【００２９】
本発明に係るクリート−ビンディング・セット１の着脱方法は、
（３）前記装着するステップで装着した断面逆テーパ状スライダ２１を、断面テーパ状ガイド１１の本体側から外側Ｏｕｔ方向にスライドさせて脱着するステップ
を更に含んでもよい。
【００３０】
以上、本発明に係るクリート−ビンディング・セットについて説明したが、本発明は上記実施形態や実施例に限定されるものではない。本発明に係るクリートやビンディングをソールやペダルに固定する方法も様々な形態をとることが可能である。また、本発明に係るクリート及びビンディングを構成する材料、材質、種類等も特に限定されず、その寸法、厚さも適宜変更可能である。
【００３１】
その他、本発明は、その主旨を逸脱しない範囲で当業者の知識に基づき種々の改良、修正、変更を加えた態様で実施できるものである。
【産業上の利用可能性】
【００３２】
本発明に係るクリート−ビンディング・セットは、シューズのソール及びペダルやスキー板等にそれぞれ取り付けて、自転車やスキーに利用することができる。
【符号の説明】
【００３３】
１：本発明に係るクリート−ビンディング・セット
１０：ペダル 
１１：断面テーパ状ガイド
１１ｆ：前方ガイド壁
１１ｒ：後方ガイド壁
１２：（ペダル側）ビンディング
１２ｆ：前方ビンディング凸部
１２ｒ：後方ビンディング凸部
１４（１４ｆ、１４ｒ）：切り欠き
１６：ペダル軸
２０：クリート
２１：断面逆テーパ状スライダ
３０：シューズ
３２：ソール（シューズ底）
３４：先端
３６：踵部
１００：自転車
１０１：本体
１０２：前輪
１０４：後輪
１０６：クランクアーム
１１０：ペダル
１１２：（ペダル側）ビンディング
１１２ａ：前方クリート係止部
１１２ｂ：後方クランプ部材
１１４：ペダル外枠
１１６：ペダル軸
１２０：クリート
１２０ａ：前方取付部
１２０ｂ：後方取付部
１０００：搭乗者
Ｆ：前方
Ｒ：後方
【図１】
2019118761.tif 000003
【図２】
2019118761.tif 000004
【図３】
2019118761.tif 000005
【図４】
2019118761.tif 000006
【図５】
2019118761.tif 000007